【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
印刷装置であって、
ユーザの操作に応じてオン状態またはオフ状態になる電源スイッチと、
外部装置からネットワークを介して前記印刷装置の電源をオフにするための指示を受信する受信手段と、
前記電源スイッチがオフ状態になった場合に、前記印刷装置を省電力状態に移行させるか電源ＯＦＦ状態に移行させるかを設定する設定手段と、
前記電源スイッチがオフ状態に操作された場合において、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行し、前記受信手段によって前記指示が受信された場合、前記設定手段による設定に関わらず、前記印刷装置を前記電源ＯＦＦ状態に移行する、制御手段と、
を備えることを特徴とする印刷装置。
【請求項２】
前記制御手段は、前記印刷装置を前記電源ＯＦＦ状態に移行する前に、シャットダウン処理を実行し、前記シャットダウン処理が終了した後に、前記印刷装置を前記電源ＯＦＦ状態に移行する、ことを特徴とする請求項１に記載の印刷装置。
【請求項３】
前記制御手段は、前記印刷装置を前記省電力状態に移行する前に、リブートを実行し、前記リブートが実行された後に、前記印刷装置を前記省電力状態に移行する、ことを特徴とする請求項１又は２に記載の印刷装置。
【請求項４】
前記省電力状態は、ＡＣＰＩ規格のＳ３ステートである、ことを特徴とする請求項１乃至３の何れか１項に記載の印刷装置。
【請求項５】
前記省電力状態では、前記印刷装置の全体を制御するＣＰＵのワークメモリであるメモリへ電力が供給される、ことを特徴とする請求項１乃至４の何れか１項に記載の印刷装置。
【請求項６】
前記省電力状態では、前記受信手段への電力供給が停止される、ことを特徴とする請求項５に記載の印刷装置。
【請求項７】
前記電源ＯＦＦ状態では、前記メモリへの電力供給が停止される、ことを特徴とする請求項５又は６に記載の印刷装置。
【請求項８】
印刷装置であって、
ユーザの操作に応じてオン状態またはオフ状態になる電源スイッチと、
外部装置からネットワークを介して前記印刷装置の電源をオフにするための指示を第１受信する受信手段と、
前記電源スイッチがオフ状態になった場合に、前記印刷装置を省電力状態に移行させるか電源ＯＦＦ状態に移行させるかを設定する設定手段と、
外部装置からネットワークを介して前記設定手段によって設定された設定内容を無効とする指示を受信する第２受信手段と、
前記電源スイッチがオフ状態に操作された場合において、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行し、前記受信手段によって前記指示が受信された場合、前記印刷装置を省電力状態に移行させる設定が前記第２受信手段によって受信された指示によって無効にされるならば、前記印刷装置を前記電源ＯＦＦ状態に移行する、制御手段と、
を備えることを特徴とする印刷装置。
【請求項９】
前記受信手段によって前記指示が受信され、且つ、前記印刷装置を省電力状態に移行させる設定が無効になっていない場合、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行する、ことを特徴とする請求項８に記載の印刷装置。
【請求項１０】
前記制御手段は、前記印刷装置を前記電源ＯＦＦ状態に移行する前に、シャットダウン処理を実行し、前記シャットダウン処理が終了した後に、前記印刷装置を前記電源ＯＦＦ状態に移行する、ことを特徴とする請求項８又は９に記載の印刷装置。
【請求項１１】
前記制御手段は、前記印刷装置を前記省電力状態に移行する前に、リブートを実行し、前記リブートが実行された後に、前記印刷装置を前記省電力状態に移行する、ことを特徴とする請求項８乃至１０の何れか１項に記載の印刷装置。
【請求項１２】
前記省電力状態は、ＡＣＰＩ規格のＳ３ステートである、ことを特徴とする請求項８乃至１１の何れか１項に記載の印刷装置。
【請求項１３】
前記省電力状態では、前記印刷装置の全体を制御するＣＰＵのワークメモリであるメモリへの電力供給が維持される、ことを特徴とする請求項８乃至１２の何れか１項に記載の印刷装置。
【請求項１４】
前記省電力状態では、前記受信手段への電力供給が停止される、ことを特徴とする請求項１３に記載の印刷装置。
【請求項１５】
前記電源ＯＦＦ状態では、前記メモリへの電力供給が停止される、ことを特徴とする請求項１３又は１４に記載の印刷装置。
【請求項１６】
ユーザの操作に応じてオン状態またはオフ状態になる電源スイッチを備える印刷装置の制御方法であって、
外部装置からネットワークを介して前記印刷装置の電源をオフにするための指示を受信する工程と、
前記電源スイッチがオフ状態になった場合に、前記印刷装置を省電力状態に移行させるか電源ＯＦＦ状態に移行させるかを設定する工程と、
前記電源スイッチがオフ状態に操作された場合において、前記印刷装置を省電力状態に移行させる設定がなされているならば、前記印刷装置を前記省電力状態に移行し、前記印刷装置を電源ＯＦＦ状態に移行させる設定がなされているならば、前記印刷装置を前記電源ＯＦＦ状態に移行し、前記受信する工程で前記指示が受信された場合、前記設定に関わらず、前記印刷装置を前記電源ＯＦＦ状態に移行する、工程と、
を有することを特徴とする印刷装置の制御方法。
【請求項１７】
前記印刷装置を前記電源ＯＦＦ状態に移行する前に、シャットダウン処理を実行する工程をさらに有する、ことを特徴とする請求項１６に記載の印刷装置の制御方法。 
【請求項１８】
前記印刷装置を前記省電力状態に移行する前に、リブートを実行する工程をさらに有する、ことを特徴とする請求項１６又は１７に記載の印刷装置の制御方法。
【請求項１９】
前記省電力状態は、ＡＣＰＩ規格のＳ３ステートである、ことを特徴とする請求項１６乃至１８の何れか１項に記載の印刷装置の制御方法。
【請求項２０】
前記省電力状態では、前記印刷装置の全体を制御するＣＰＵのワークメモリであるメモリへ電力が供給される、ことを特徴とする請求項１６乃至１９の何れか１項に記載の印刷装置の制御方法。
【請求項２１】
前記省電力状態では、外部装置からネットワークを介して前記印刷装置の電源をオフにするための前記指示を受信する受信手段への電力供給が停止される、ことを特徴とする請求項２０に記載の印刷装置の制御方法。
【請求項２２】
前記電源ＯＦＦ状態では、前記メモリへの電力供給が停止される、ことを特徴とする請求項２０又は２１に記載の印刷装置の制御方法。
【請求項２３】
ユーザの操作に応じてオン状態またはオフ状態になる電源スイッチを備える印刷装置のコンピュータを、
外部装置からネットワークを介して前記印刷装置の電源をオフにするための指示を第１受信する受信手段と、
前記電源スイッチがオフ状態になった場合に、前記印刷装置を省電力状態に移行させるか電源ＯＦＦ状態に移行させるかを設定する設定手段と、
外部装置からネットワークを介して前記設定手段によって設定された設定内容を無効とする指示を受信する第２受信手段と、
前記電源スイッチがオフ状態に操作された場合において、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行し、前記受信手段によって前記指示が受信された場合、前記印刷装置を省電力状態に移行させる設定が前記第２受信手段によって受信された指示によって無効にされるならば、前記印刷装置を前記電源ＯＦＦ状態に移行する、制御手段と、して機能させるためのプログラム。
【請求項２４】
請求項２３に記載のプログラムを記録する記録媒体。
【手続補正２】
【補正対象書類名】明細書
【補正対象項目名】０００７
【補正方法】変更
【補正の内容】
【０００７】
本発明は、印刷装置であって、ユーザの操作に応じてオン状態またはオフ状態になる電源スイッチと、外部装置からネットワークを介して前記印刷装置の電源をオフにするための指示を受信する受信手段と、前記電源スイッチがオフ状態になった場合に、前記印刷装置を省電力状態に移行させるか電源ＯＦＦ状態に移行させるかを設定する設定手段と、前記電源スイッチがオフ状態に操作された場合において、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行し、前記受信手段によって前記指示が受信された場合、前記設定手段による設定に関わらず、前記印刷装置を前記電源ＯＦＦ状態に移行する、制御手段と、を備えることを特徴とする。また、本発明は、印刷装置であって、ユーザの操作に応じてオン状態またはオフ状態になる電源スイッチと、外部装置からネットワークを介して前記印刷装置の電源をオフにするための指示を第１受信する受信手段と、前記電源スイッチがオフ状態になった場合に、前記印刷装置を省電力状態に移行させるか電源ＯＦＦ状態に移行させるかを設定する設定手段と、外部装置からネットワークを介して前記設定手段によって設定された設定内容を無効とする指示を受信する第２受信手段と、前記電源スイッチがオフ状態に操作された場合において、前記設定手段によって前記印刷装置を省電力状態に移行させる設定がなされているならば、前記印刷装置を前記省電力状態に移行し、前記設定手段によって前記印刷装置を電源ＯＦＦ状態に移行させる設定がなされているならば、前記印刷装置を前記電源ＯＦＦ状態に移行し、前記受信手段によって前記指示が受信された場合、前記印刷装置を省電力状態に移行させる設定が前記第２受信手段によって受信された指示によって無効にされるならば、前記印刷装置を前記電源ＯＦＦ状態に移行する、制御手段と、を備えることを特徴とする。